(57)【特許請求の範囲】
【請求項１】
端末装置の機能のセキュリティ解除を行う機能制御方法であって、
前記端末装置の並進運動と回転運動との組み合わせからなる運動に伴う運動パラメータの所定の連続的で滑らかな時間的変化を登録する運動パラメータ登録工程と；
前記端末装置の運動状態を検出するセンサの検出値に基づいて、前記端末装置の運動パラメータの値を算出する運動パラメータ算出工程と；
前記運動パラメータ算出工程において算出された運動パラメータの値が、前記所定の連続的で滑らかな時間的変化をしているかどうかを判定する運動パラメータ変化判定工程と；
前記運動パラメータ変化判定工程において、肯定的な判定がされた場合には、前記所定の時間的変化に応じた前記端末装置の所定の機能のセキュリティ解除を行ない、前記所定の機能を利用できる状態に設定する機能設定工程と、を備える機能制御方法。
【請求項２】
前記運動パラメータは、前記端末装置の加速度及び姿勢角を含むパラメータである、ことを特徴とする請求項１に記載の機能制御方法。
【請求項３】
前記所定の時間的変化は、前記端末装置の運動により取得される、ことを特徴とする請求項１に記載の機能制御方法。
【請求項４】
前記所定の機能は、前記端末装置の操作部からの指令入力により、利用できる状態に設定することができる機能である、ことを特徴とする請求項１に記載の機能制御方法。
【請求項５】
運動パラメータの値の算出のために必要な情報を取得するセンサ部と；
前記センサ部により検出された検出値から運動パラメータの値を算出する運動パラメータ算出部と；
前記算出された運動パラメータの値の変化が、並進運動と回転運動との組み合わせからなる運動に伴う運動パラメータの時間変化として予め登録された所定の連続的で滑らかな時間的変化をしているかどうかを判定する運動パラメータ変化判定部と；
前記運動パラメータ変化判定部により肯定的な判定がされた場合には、所定の機能のセキュリティ解除を行ない、前記所定の機能を利用できる状態とする機能制御部と、を備える端末装置。
【請求項６】
操作部を更に備え、
前記所定の機能は、前記操作部からの指令入力によって、利用できる状態に設定される、ことを特徴とする請求項５に記載の端末装置。
【請求項７】
移動通信網の基地局と通信するための無線通信部を更に備える、ことを特徴とする請求項５に記載の端末装置。
【発明の詳細な説明】
【技術分野】
【０００１】
本発明は、機能制御方法及び端末装置に係り、より詳しくは、機能を利用できる状態に設定する機能設定方法、及びその方法を使用する端末装置に関する。
【背景技術】
【０００２】
従来から、移動通信端末装置をはじめとする様々な端末装置が普及している。これらの端末装置は、近年ますます高機能化、多機能化し、多くの機能を利用する利用者にとっては大変便利な装置となっている。一方、一部の機能しか利用しない利用者や、端末装置の初心者にとっては、操作が複雑であったり、覚えきれなかったりすることも多い。これらの対策として、ほとんどの移動通信端末装置では、ショートカットキーの利用も可能として、ある機能へのアクセスを短縮する方法を提供している。
【０００３】
また、近年の端末装置には、友人や仕事先の連絡先をはじめとして、営業秘密の含まれるメールなど秘匿性の高い情報が保存されていることが多い。このような秘匿性が高い情報が保存された端末装置を置き忘れたり、盗難されたりした場合に、これらの情報に簡単にアクセスされないように、パスワードや指紋認証などで、本人であることを確認したあとでないと、操作ができないような端末もある。
【発明の開示】
【発明が解決しようとする課題】
【０００４】
上述したように、多機能の端末装置において、一部の機能しか利用しない利用者には、ショートカットキーの設定などによる対策が施されているが、端末装置の小型化に伴い、キー自体も小さくなっており、小さなキー操作に抵抗を憶える人も多い。更に、通常ひとつのキーに複数の機能を割り当てているため、ショートカットキーとして機能させるためのキー操作を覚えなくてはならない。
【０００５】
また、上述したようなパスワードによる認証では、利用者が必要な情報にたどり着くまでの操作が多くなり、そのため、日常の使用では、パスワードを解除してしまう場合も多く、あまり実用性のあるものとはなっていない。また、指紋などで本人であることを認証する方法では、指紋認証のみに使用する専用のハードウェアが必要となってしまうなど、利用者にかかるコスト負担は大きい。
【０００６】
本発明は、上記の事情を鑑みてなされたものであり、簡易な覚えやすい操作で、所定の機能を利用できる状態に設定することができる機能制御方法及び端末装置を提供することを目的とする。
【課題を解決するための手段】
【０００７】
本発明は、第１の観点からすると、端末装置の機能のセキュリティ解除を行う機能制御方法であって、前記端末装置の並進運動と回転運動との組み合わせからなる運動に伴う運動パラメータの所定の連続的で滑らかな時間的変化を登録する運動パラメータ登録工程と；前記端末装置の運動状態を検出するセンサの検出値に基づいて、前記端末装置の運動パラメータの値を算出する運動パラメータ算出工程と；前記運動パラメータ算出工程において算出された運動パラメータの値が、前記所定の連続的で滑らかな時間的変化をしているかどうかを判定する運動パラメータ変化判定工程と；前記運動パラメータ変化判定工程において、肯定的な判定がされた場合には、前記所定の時間的変化に応じた記端末装置の所定の機能のセキュリティ解除を行ない、前記所定の機能を利用できる状態に設定する機能設定工程と、を備える機能制御方法である。
【０００８】
この機能制御方法では、まず、運動パラメータ登録工程において、端末装置の並進運動と回転運動との組み合わせからなる運動に伴う運動パラメータの所定の連続的で滑らかな時間的変化が登録される。引き続き、運動パラメータ算出工程において、端末装置の運動状態を検出するセンサの検出値に基づき、端末装置の運動パラメータの値を算出する。次に、運動パラメータ変化判定工程において、算出された運動パラメータの値が所定の連続的で滑らかな時間的変化をしているかどうかを判定する。運動パラメータ変化判定工程における判定の結果が肯定的であった場合には、所定の連続的で滑らかな時間的変化に応じた端末装置の所定の機能のセキュリティ解除を行ない、当該所定の機能を利用できる状態に設定する。したがって、端末装置の運動状態により、所定の機能を利用できる状態に設定できるため、簡易な覚えやすい操作で、所定の機能を利用できる状態に設定することができる。
【０００９】
本発明の機能制御方法では、運動パラメータを、前記端末装置の加速度及び姿勢角を含むパラメータとすることができる。この場合には、運動パラメータを端末装置の加速度及び姿勢角とすることにより、端末装置の運動状態を正確に把握することができる。
【００１０】
また、本発明の機能制御方法では、所定の時間的変化を、端末装置の運動により取得することができる。この場合には、利用者が所望の態様で端末装置に動かすことにより、運動パラメータの所定の時間的変化を設定することができる。
【００１１】
また、本発明の機能制御方法では、所定の機能を、端末装置の操作部からの指令入力により、利用できる状態に設定することができる機能とすることができる。この場合には、操作部の操作では利用しにくい機能を、所定の機能として設定することにより、運動パラメータの値の所定の時間的変化をいわゆるショートカットとして利用することができる。
【００１２】
本発明は、第２の観点からすると、運動パラメータの値の算出のために必要な情報を取得するセンサ部と；前記センサ部により検出された検出値から運動パラメータの値を算出する運動パラメータ算出部と；前記算出された運動パラメータの値の変化が、並進運動と回転運動との組み合わせからなる運動に伴う運動パラメータの時間変化として予め登録された所定の連続的で滑らかな時間的変化をしているかどうかを判定する運動パラメータ変化判定部と；前記運動パラメータ変化判定部により肯定的な判定がされた場合には、所定の機能のセキュリティ解除を行ない、前記所定の機能を利用できる状態とする機能制御部と、を備える端末装置である。
【００１３】
この端末装置では、センサ部が、加速度計や磁力計等の運動パラメータの値の算出のために必要な情報を取得する。ここで、運動パラメータとは、速度、加速度及び姿勢角等のことをいい、静止状態を含む端末の運動状態を表す変数である。運動パラメータ算出部は、センサ部が取得した情報からこの運動パラメータを算出する。算出された運動パラメータは、運動パラメータ変化判定部により、並進運動と回転運動との組み合わせからなる運動に伴う運動パラメータの時間的変化として予め登録された所定の連続的で滑らかな時間的変化をしているかどうかが判定される。運動パラメータ変化判定部の判定が肯定的の場合、すなわち、所定の連続的で滑らかな時間的変化をしていると判定された場合には、機能制御部は、所定の機能のセキュリティ解除を行ない、当該所定の機能を利用できる状態とする。
【００１４】
すなわち、本発明の端末装置は、上述した本発明の機能制御方法を使用することができる。したがって、本発明の端末装置によれば、簡易な覚えやすい操作で、所定の機能を利用できる状態に設定することができる。
【００１５】
本発明の端末装置では、操作部を更に備えるとともに、前記所定の機能を、前記操作部からの指令入力によって利用できる状態に設定できる機能とすることができる。この場合には、利用できるようためには操作部からの多くの操作を必要とする機能を、所定の機能とすることにより、運動パラメータの値の所定の時間的変化の発生をいわゆるショートカット指定として利用することができる。したがって、複雑な操作をすることなく、利用者の設定した簡易な覚えやすい操作で、所定の機能を利用できる状態に設定することができる。
【００１６】
また、本発明の端末装置は、移動通信網の基地局と通信するための無線通信部を更に備えるようにすることができる。すなわち、本発明の端末装置を、携帯電話等の移動通信端末装置とすることができる。
【発明の効果】
【００１７】
以上説明したように、本発明の機能制御方法及び端末装置によれば、利用者は、簡易な覚えやすい操作で、所定の機能を利用できる状態に設定できるという効果を奏する。
【発明を実施するための最良の形態】
【００１８】
＜第一の実施形態＞
以下、本発明の第一の実施形態を、図１Ａ〜図６を参照しつつ説明する。
【００１９】
図１Ａには、本発明の第一の実施形態に係る携帯電話１０の正面図が示され、図１Ｂには、携帯電話１０の背面図が示されている。図１Ａ及び図１Ｂに総合的に示されるように、携帯電話１０は、（ａ）携帯電話本体１１と、（ｂ）電話番号を入力するためのテンキー、及び、動作モードの切替等の各種指令を入力するためのファンクションキー等を有する操作部１２と、（ｃ）操作案内、動作状況、受信メッセージ等を表示する液晶表示装置を有する表示部１３と、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７と、を備えている。
【００２０】
なお、携帯電話１０においては、図１Ｂの背面図において、左方向にＸ軸、上方向にＹ軸、そして、紙面の裏から表に向かう方向にＺ軸として、携帯電話１０固有の座標系が定義されるものとする。
【００２１】
携帯電話本体１１の内部には、図２に示されるように、（ｈ）携帯電話１０全体の動作を統括制御する制御部２１と、（ｉ）アンテナ１７を介して、無線通信を行う送受信部２２と、（ｊ）Ｘ軸及びＹ軸方向の２つの加速度計、並びにＸ軸、Ｙ軸及びＺ軸方向の磁力計を備えたセンサ部２３とが備えられている。
【００２２】
ここで、制御部２１は、（ｉ）携帯電話１０の各機能の起動を制御する機能制御部３１と、（ii）メール機能のアプリケーションであるメール機能部３２と、（iii）電話帳のアプリケーションである電話帳機能部３３と、（iv）センサ部２３の各センサが観測した値を取得し、Ｘ軸及びＹ軸方向の加速度と、Ｘ軸周り及びＹ軸周りの姿勢角（以下、それぞれロール角、ピッチ角という。）の運動パラメータを算出する運動パラメータ算出部３４と、（ｖ）後述する上下左右の運動のうち、連続して行われた２つの運動を判定し、その２つの連続した運動に対応する機能を抽出するモーションショートカットＡ機能部３５と、を備えている。
【００２３】
なお、本実施形態においては、制御部２１は、中央処理装置（ＣＰＵ）、デジタル信号処理装置（ＤＳＰ）、不揮発性及び揮発性の記憶装置等を備えており、上述した機能の動作制御を行うようになっている。ここで、機能制御部３１、メール機能部３２、電話帳機能部３３、運動パラメータ算出部３４及びモーションショートカットＡ機能部３５は、制御部２１で実行されるプログラムにより構成されている。
【００２４】
また、携帯電話１０において、メール機能を操作部１２の操作により起動するためには、図３に示されるように、待ち受け画面から、メニュー画面及び通信機能選択画面を経由して、メール機能画面に移るため、３画面の表示を順次遷移させることを必要としている。
【００２５】
次に、上記のように構成された携帯電話１０における、メール機能画面に移るためのモーションショートカットＡ機能を使用した機能制御方法について説明する。ここで、本実施形態においては、図４に示されるように、＋Ｙ方向、−Ｙ方向、−Ｘ方向及び＋Ｘ方向をそれぞれ上下左右としている。そして、上下左右のいずれか一方向に移動させて、もとの位置に戻すという４種の運動を、モーションショートカットＡ機能における基本運動としている。以下、これらの４種の運動を、それぞれ「上」、「下」、「左」及び「右」と表し、図面において、それぞれ７１〜７４の矢印記号で表すこととする。携帯電話１０の連続する２つの運動については、例えば「上」の運動の後、「下」の運動を行う場合には、「上」「下」と表し、図面においては７１と７２の矢印記号を左から順番に記すものとする。
【００２６】
まず、図５に示される表示部１３の画面の表示の遷移を参照して、モーションショートカットＡ機能のショートカット先としてメール機能画面を登録する場合について説明する。初めに、利用者は、操作部１２を操作することにより、モーションショートカットＡ機能部３５を起動し、画面Ｆ５Ａを表示させる。この画面で利用者はショートカットを登録するために、操作部１２を操作し、「１．登録」を選択すると、ショートカットとして利用する機能を選択するための画面Ｆ５Ｂが表示される。
【００２７】
次に、利用者がショートカットとして利用する機能である「１．メール」を選択すると、メール機能部３２を起動するための携帯電話１０の運動を選択する画面Ｆ５Ｃが表示される。ここで、２．の「上」「左」の記号を選択すると、モーションショートカットＡ機能として、「上」「左」の運動が、メール機能の起動に割り当てられ、モーションショートカットＡ機能部３５内に、「上」「左」の運動にメール機能が対応付けられて登録される。
【００２８】
また、画面Ｆ５Ａの表示中に「２．削除」を選択した場合には、運動に対応する機能の登録を削除するための画面Ｆ５Ｄが表示される。ここで、１．の「上」「右」の記号を選択すると、「上」「右」の運動に対応する機能の登録が、削除される。
【００２９】
次に、登録されたモーションショートカットＡ機能部３５を利用する方法について、図６を参照して説明する。まず、ステップＳ１１において、携帯電話１０の待ち受け画面において、利用者が操作部１２にあるモーションキーを押下すると、ステップＳ１２に移行する。ステップＳ１２において、モーションキー押下の通知を受けた制御部２１のモーションショートカットＡ機能部３５は、センサ部２３に観測開始を指令し、センサ部２３は観測を開始する。それと並行して、運動パラメータ算出部３４は、観測されたデータの取得と、観測されたＸ軸及びＹ軸の加速度、並びに、Ｘ軸、Ｙ軸及びＺ軸の磁場の値から、運動パラメータ算出を開始する。
【００３０】
引き続き、ステップＳ１３において、利用者は、携帯電話１０に対して、登録した「上」「左」の運動を行わせる。利用者による「上」「左」の運動は、携帯電話１０の運動として、センサ部２３により観測され、運動パラメータ算出部３４は、その観測された値に基づいて、運動パラメータを算出する。ステップＳ１２で開始した観測は、開始から２秒後に、ステップＳ１４において終了し、運動パラメータ算出部３４における運動パラメータの算出処理もセンサ部２３で観測されたデータがなくなると終了する。
【００３１】
モーションショートカットＡ機能部３５は、運動パラメータ算出部３４の算出した運動パラメータを取得し、ステップＳ１５において、上述した上下左右の各運動のうち、２つの連続した運動の組合せを判定する。ここで、２つの連続した運動の組合せを判定できない場合には、表示部１３に運動の組合せが判定できない旨の表示を行い、処理を終了する。
【００３２】
２つの連続した運動の組合せが判定された場合には、モーションショートカットＡ機能部３５は、ステップＳ１６において、「上」「左」に対応する機能が登録されているかどうかを検索する。「上」「左」に対応するメール機能が登録されていることを確認したモーションショートカットＡ機能部３５は、メール機能の起動を機能制御部３１に指令する。ここで、対応する機能が確認されなかった場合には、処理を終了する。そして、メール機能の起動を指令された機能制御部３１は、ステップＳ１７において、メール機能を起動する。
【００３３】
以上説明したように、本実施形態では、携帯電話１０において、まず、あらかじめ定められた運動のうち、２つの組合せと、ショートカットとして起動させたい機能を選択し、モーションショートカットとして登録する。次に、利用者が、携帯電話１０の待ち受け画面から、操作部１２のモーションキーを押下し、登録された運動を携帯電話１０に行わせると、センサ部２３が携帯電話１０の運動を観測し、運動パラメータ算出部３４がその観測された値を基に、運動パラメータを算出する。
【００３４】
引き続き、モーションショートカットＡ機能部３５が、算出された運動パラメータから、運動の２つの組合せを判定し、その２つの組合せに対応する機能が登録されているかを検索する。２つの組合せに対応する機能が登録されている場合には、機能制御部３１にその機能の起動を指令し、機能制御部３１はその機能を起動する。
【００３５】
したがって、本第一の実施形態によれば、携帯電話１０の単純な右方向、左方向の移動などを組み合わせて、登録されている機能を起動するため、簡易な覚えやすい操作で、所定の機能を利用できる状態に設定することができる。また、運動パラメータを加速度及び姿勢角としていることにより、携帯電話１０の運動状態を正確に把握することができる。また、登録された機能は操作部の操作によっても起動できる機能であるため、いわゆるショートカット機能として利用することができる。
【００３６】
なお、本第一の実施形態においては、パスワード入力を含まない操作で表示されるメール機能の画面表示にショートカット遷移するようにした。これに対して、パスワード入力等のセキュリティ情報の入力を含む操作を必要とする機能の画面表示へをショートカット遷移するようにしてもよい。
【００３７】
また、本第一の実施形態においては、メール機能の起動をモーションショートカットＡ機能としたが、メール機能以外の機能の起動をモーションショートカットＡ機能とすることができるのは勿論である。
【００３８】
また、本第一の実施形態においては、モーションキーの押下により、センサ部２３が観測を開始することとしたが、センサ部２３は常に観測し続けることとしてもよい。
【００３９】
また、本第一の実施形態においては、上下左右の４方向に関する運動を基本運動としたが、その他の方向への運動や回転運動を基本運動としてもよいのは勿論である。
【００４０】
また、本第一の実施形態においては、モーションショートカットＡとして利用する運動を、基本運動の２つの組合せとした。これに対して、モーションショートカットＡとして利用する運動を、１つの基本運動としてもよいし、３つ以上の基本運動の組合せとしてもよい。
【００４１】
また、本第一の実施形態においては、携帯電話１０の運動を観測する時間を２秒としたが、２秒以外の時間でもよいのは勿論である。
【００４２】
＜第二の実施形態＞
以下、本発明の第二の実施形態を、図７Ａ〜図１２Ｂを参照しつつ説明する。ここで、第一の実施形態と同一又は同等の要素には、同一の符号を付し、重複する説明を省略する。
【００４３】
図７Ａ及び図７Ｂには、本発明の第二の実施形態に係る携帯電話２０の外観構成が示されている。携帯電話２０の外観は、上述した図１Ａ及び図１Ｂに示されるの第一の実施形態に係る携帯電話１０と、携帯電話本体１１に代えて携帯電話本体４１を備える点を除いて、同様であり、座標軸も第一の実施形態と同様としている。
【００４４】
携帯電話２０の携帯電話本体４１内部は、図８に示されるように、上述した第一の実施形態に係る携帯電話１０と比べて、モーションショートカットＡ機能部３５に代えてモーションショートカットＢ機能部６５を備える点を除いて、同様である。モーションショートカットＢ機能部６５は、運動パラメータ算出部３４が算出した運動パラメータの変化に基づき、その変化に対応する登録された機能を抽出する。
【００４５】
なお、本実施形態においては、第一の実施形態と同様に、制御部５１は、中央処理装置（ＣＰＵ）、デジタル信号処理装置（ＤＳＰ）、不揮発性及び揮発性の記憶装置等を備えており、機能制御部３１、メール機能部３２、電話帳機能部３３、運動パラメータ算出部３４及びモーションショートカットＢ機能部６５は、制御部５１で実行されるプログラムにより構成されている。
【００４６】
また、携帯電話２０において、待ち受け画面からメール機能設定へ遷移するためには、図９に示されるように、メニュー画面、通信機能選択画面及びメール機能画面を経由して、パスワードを入力後、メール機能設定画面へと、表示画面を遷移させることが必要となる。
【００４７】
次に、上記のように構成された携帯電話２０における、モーションショートカットＢ機能を使用した場合の機能制御方法について説明する。
【００４８】
まず、利用者は、モーションショートカットＢ機能のショートカット先として、メール機能設定画面を登録をするために、携帯電話２０において、図９に示されるように、操作部１２を操作することにより、待ち受け画面から、メニュー画面、通信機能選択画面及びメール機能画面を経由し、ショートカットによる遷移先の画面として登録するメール機能設定画面を表示させる。なお、メール機能設定画面の画面へ遷移する際には、パスワードの入力を必要としている。こうして表示部１３に表示されるメール機能設定画面が、図１０において画面Ｆ１０Ａとして示されている。
【００４９】
メール機能設定画面Ｆ１０Ａの表示中に、操作部１２の「メニュー」ボタンを押下すると、メニュー画面を参照して指定できる機能の一覧画面Ｆ１０Ｂが表示される。ここで、モーションショートカットＢを選択すると、モーションショートカットＢの画面Ｆ１０Ｃが表示される。この画面Ｆ１０Ｃの表示中に、利用者はショートカットを登録するために、操作部１２を操作し、「１．登録」を選択すると、モーションショートカットを登録する番号の選択画面Ｆ１０Ｄが表示される。
【００５０】
一方、画面Ｆ１０Ｃの表示中に、「２．削除」が選択された場合には、既に登録されたモーションショートカットを削除する番号を選択する画面Ｆ１０Ｆが表示される。この画面において、登録済みのモーションショートカットを選択した場合には、その登録は削除され、モーションショートカットＢ機能部６５は終了する。
【００５１】
画面Ｆ１０Ｄにおいて、「２．未登録」を選択すると、画面Ｆ１０Ｅが表示される。この画面Ｆ１０Ｅへの遷移と同時に、センサ部２３の各センサは、観測を開始する。そして、運動パラメータ算出部３４は、センサ部２３から観測された値の取得と、取得結果に基づく運動パラメータの算出とを開始する。ここで、利用者は、ショートカット機能に利用するための運動を携帯電話２０にさせる。こうした運動の例としては、図１１に示されるような並進と回転を組み合わせた運動がある。
【００５２】
この携帯電話２０の運動中に、センサ部２３の各センサは、Ｘ及びＹ方向軸の加速度、並びに、Ｘ、Ｙ及びＺ方向の磁場の値を観測する。引き続き、それらの値は、運動パラメータ算出部３４により取得され、その値を基に運動パラメータであるロール角、ピッチ角、Ｘ方向加速度及びＹ方向加速度が算出される。この算出された運動パラメータの変化を図１２Ａ及び図１２Ｂに示す。この運動パラメータは、モーションショートカットＢ機能部６５に通知され、登録運動番号２として登録される。
【００５３】
センサ部２３の各センサは、利用者による操作部１２の操作により、または、観測開始から２秒後に終了する。センサ部２３からの観測の値がなくなると、運動パラメータ算出部３４は、観測値の取得と運動パラメータの算出を終了し、運動パラメータの算出が終了すると、モーションショートカットＢ機能部６５の運動パラメータの登録も終了する。
【００５４】
次に、利用者が、登録されたモーションショートカットＢ機能部６５を利用する場合には、利用者が、携帯電話２０の待ち受け画面において、登録運動番号２としてに登録された運動、すなわち、図１１の運動と同様の運動を携帯電話２０にさせる。
【００５５】
この運動中に、前述した登録の場合と同様に、センサ部２３の各センサにより、Ｘ及びＹ方向の加速度、並びに、Ｘ、Ｙ及びＺ方向の磁場の値が観測される。そして、観測結果が、運動パラメータ算出部３４により取得され、ロール角、ピッチ角、Ｘ方向加速度及びＹ方向加速度が運動パラメータとして算出される。この運動パラメータは、モーションショートカットＢ機能部６５に通知される。
【００５６】
モーションショートカットＢ機能部６５は、通知された運動パラメータの変化と図１２Ａ及び図１２ＢとをＤＰマッチング（Dynamic Programming Matching）法による比較により、登録運動番号２の運動と判定された場合には、メール機能設定画面の表示を機能制御部３１に指令する。メール機能設定画面の表示を指令された機能制御部３１は、メール機能設定画面を表示する。表示部１３には、Ｆ１０Ａのメール機能設定画面が表示される。一方、モーションショートカットに登録されたいずれの運動とも判定されなかった場合には、モーションショートカットＢ機能部６５は、機能制御部３１に何も通知せず、処理を終了する。
【００５７】
以上説明したように、本実施形態では、まず、携帯電話２０において、ショートカットとして設定したい画面を表示する。そして、利用者は、ショートカットに使用する運動の登録を開始するための操作を行うとともに、ショートカットに使用する運動を携帯電話２０にさせる。センサ部２３は、携帯電話２０の運動を観測し、運動パラメータ算出部３４は、その観測された値を基に、運動パラメータを算出する。算出された運動パラメータは、モーションショートカットＢ機能部６５に通知され、登録される。
【００５８】
次に、利用者が、携帯電話２０の待ち受け画面の表示中に、携帯電話２０を運動させると、センサ部２３は、携帯電話２０の運動を観測し、運動パラメータ算出部３４は、その観測された値を基に、運動パラメータを算出する。算出された運動パラメータは、モーションショートカットＢ機能部６５に通知され、モーションショートカットＢとして登録された値と比較される。ここで、登録された運動と同様であると判定された場合には、その判定された運動に対応する機能の起動を機能制御部３１に指令し、機能制御部３１は、通知された機能を起動する。
【００５９】
したがって、本第二の実施形態によれば、利用者が実際に携帯電話２０を動かすことによって、携帯電話２０の運動と、利用する機能とを設定するため、利用者の設定した簡易な覚えやすい操作で、所定の機能を利用できる状態に設定することができる。また、運動パラメータを加速度及び姿勢角としていることにより、運動状態を正確に把握することができる。また、登録された機能がパスワード入力を必要とするセキュリティ保護された機能であっても、操作部を操作することなく、利用者の設定した簡易な覚えやすい操作で、利用できる状態に設定することができる。また、携帯電話２０の登録される運動パラメータの変化は、利用者自身が携帯電話２０を運動させて設定するので、利用者独自の特性を反映している。このため、セキュリティが要求される機能のショートカット用として使用することができる。
【００６０】
なお、本第二の実施形態においては、パスワード入力を含む操作を必要とするセキュリティ保護された機能の画面表示にショートカット遷移するようにした。これに対して、パスワード入力を含まない操作で表示される機能の画面表示にショートカット遷移するようにしてもよい。
【００６１】
また、本第二の実施形態においては、メール機能のメール機能設定画面をモーションショートカットＢ機能による遷移先としたが、モーションショートカットＢ機能による遷移先をメール機能以外の画面としてもよいのは勿論である。
【００６２】
また、本第二の実施形態においては、待ち受け画面からキー操作することなく、モーションショートカットＢ機能を利用することとしたが、キー操作を行うことにより、モーションショートカットＢ機能の利用を開始することとしてもよい。
【００６３】
また、本第二の実施形態においては、利用者が自由に携帯電話２０の運動を設定し登録することとしたが、上下左右等に運動を限定して設定登録させることとしてもよい。
【００６４】
また、本第二の実施形態においては、携帯電話２０の運動を登録する時間を２秒としたが、２秒以外の時間でもよいのは勿論である。
【００６５】
また、本発明の第一及び第二の実施形態においては、センサ部のセンサを、Ｘ軸及びＹ軸方向の２つの加速度計と、Ｘ軸、Ｙ軸及びＺ軸方向の磁力計とをとして使用したが、他のセンサを使用して、運動パラメータを算出してもよいのは勿論である。
【００６６】
また、本発明の第一及び第二の実施形態においては、算出される運動パラメータを加速度及び姿勢角としたが、その他の運動パラメータを算出することとしてもよいのは勿論である。
【００６７】
また、本発明の第一及び第二の実施形態においては、端末装置を携帯電話として適用したが、携帯電話以外の端末装置に適用できるのは勿論である。
【産業上の利用可能性】
【００６８】
以上説明したように本発明の機能制御方法は、端末装置における機能制御に適用することができる。また、本発明の端末装置は、移動通信端末装置をはじめとする端末装置に適用することができる。
【図面の簡単な説明】
【００６９】
【図１Ａ】本発明の第一の実施形態に係る携帯電話の正面側から見た外観構成を概略的に示す図である。
【図１Ｂ】本発明の第一の実施形態に係る携帯電話の背面側から見た外観構成を概略的に示す図である。
【図２】図１Ａ及び図１Ｂに示される携帯電話の内部構成を説明するためのブロック図である。
【図３】図１Ａの携帯電話の操作部を操作した場合のメール機能画面への遷移を表した図である。
【図４】図１Ａ及び図１Ｂに示される携帯電話のモーションショートカットＡ機能の基本運動を概略的に示す図である。
【図５】モーションショートカットＡ機能の登録の仕方を概略的に示す画面遷移図である。
【図６】モーションショートカットＡ機能の使用の仕方を概略的に示す流れ図である。
【図７Ａ】本発明の第二の実施形態に係る携帯電話の正面側から見た外観構成を概略的に示す図である。
【図７Ｂ】本発明の第二の実施形態に係る携帯電話の背面側から見た外観構成を概略的に示す図である。
【図８】図７Ａ及び図７Ｂに示される携帯電話の内部構成を概略的に示す図である。
【図９】図７Ａの携帯電話の操作部を操作した場合のメール機能設定画面への遷移を表した図である。
【図１０】モーションショートカットＢ機能の登録の仕方を概略的に示す画面遷移図である。
【図１１】モーションショートカットＢ機能に登録する端末の運動を示す図である。
【図１２Ａ】図１１の運動により算出された登録された運動パラメータの時間的変化を示すグラフである。
【図１２Ｂ】図１１の運動により算出された登録された運動パラメータの時間的変化を示すグラフである。
【図１Ａ】
0004588028.tif 000002
【図１Ｂ】
0004588028.tif 000003
【図２】
0004588028.tif 000004
【図３】
0004588028.tif 000005
【図４】
0004588028.tif 000006
【図５】
0004588028.tif 000007
【図６】
0004588028.tif 000008
【図７Ａ】
0004588028.tif 000009
【図７Ｂ】
0004588028.tif 000010
【図８】
0004588028.tif 000011
【図９】
0004588028.tif 000012
【図１０】
0004588028.tif 000013
【図１１】
0004588028.tif 000014
【図１２Ａ】
0004588028.tif 000015
【図１２Ｂ】
0004588028.tif 000016